(57)【要約】【課題】カレンダの情報表示方法を提供する。【解決手段】カレンダの情報表示方法は、端末装置１２が、カレンダインターフェースを表示するステップを含む。また、端末装置１２が、入力ユニット１２１によりカレンダソフトウェア１２０に書き込まれたメッセージを受信するステップを含む。端末装置１２がメッセージをサーバ１１に伝送するステップを含む。サーバ１１が、インターネットから所定期間内で検索条件に合うウェブページの情報をサーチするステップを含む。サーバ１１が、ニュースリンク情報を発生し、複数個の情報類別を規定し、それぞれのニュースリンク情報を少なくとも１つの情報類別に対応させるステップを含む。サーバ１１が、ニュースリンク情報を端末装置１２に伝送するステップを含む。端末装置１２が、カレンダソフトウェア１２０により、ニュースリンク情報を表示するステップを含む。【選択図】図１
2014032675.tif 000002
【特許請求の範囲】
【請求項１】
端末装置とサーバを含むネットワークシステムに応用され、
前記端末装置が、カレンダソフトウェアにより前記サーバ上のユーザアカウントにログインすることでカレンダインターフェースを表示するステップと、
前記端末装置が、入力ユニットにより前記カレンダソフトウェアに書き込まれたメッセージを受信するステップと、
前記端末装置が前記メッセージを前記サーバに伝送するステップと、
前記サーバが、前記メッセージに基づいて、少なくとも１つの検索条件を選び出し、前記検索条件に基づいて、インターネットから所定期間内で前記検索条件に合うウェブページの情報をサーチするステップと、
前記サーバが、それぞれの前記ウェブページの情報に基づいて、ニュースリンク情報（例えば、ウェブアドレス）を発生し、それぞれの前記ウェブページの情報の内容に基づき、複数個の情報類別（例えば、スポーツ類、気象類、生活類など）を規定し、それぞれの前記ニュースリンク情報を少なくとも１つの前記情報類別に対応させるステップと、
前記サーバが、前記ニュースリンク情報を前記端末装置に伝送するステップと、
前記端末装置が、前記カレンダソフトウェアにより、前記情報類別に基づいて、前記ニュースリンク情報を表示するステップと、を含み、
前記メッセージは、少なくともイベントパラメータ（event parameter）と日付パラメータを含むことを特徴とするカレンダの情報表示方法。
【請求項２】
前記端末装置は、所定操作時間内で、前記ニュースリンク情報の前記情報類別に基づいて、前記ニュースリンク情報が前記情報類別に読み取られた回数を記録し、前記操作時間経過後、前記ニュースリンク情報が前記情報類別に読み取られた回数に基づいて、前記ニュースリンク情報を新たにソートすることを特徴とする請求項１に記載のカレンダの情報表示方法。
【請求項３】
前記メッセージは、期間パラメータをさらに含み、
前記端末装置は、前記ニュースリンク情報を受け取り、前記日付パラメータと前記期間パラメータとを比較した場合、前記カレンダソフトウェアにより、前記ニュース関連メッセージを表示することを特徴とする請求項２に記載のカレンダ情報表示方法。
【請求項４】
前記端末装置は、前記ニュースリンク情報を前記カレンダインターフェース内に書き込むことを特徴とする請求項３に記載のカレンダ情報表示方法。
【請求項５】
前記サーバには、サブメッセージが保存され、前記サブメッセージと前記ユーザアカウントとが対応しており、
前記サーバは、前記ニュースリンク情報を発生した後、前記ニュースリンク情報を前記サブメッセージに対応させ、前記端末装置に伝送し、
前記端末装置は、前記ニュースリンク情報と前記サブメッセージを同時に表示することを特徴とする請求項１、２、３又は４に記載のカレンダの情報表示方法。
【請求項６】
前記メッセージは、Really Simple Syndication規格であることを特徴とする請求項５に記載のカレンダの情報表示方法。
【請求項７】
前記端末装置は、前記カレンダソフトウェアを起動した後、前記カレンダソフトウェアにより、前記入力インターフェースを起動し、前記入力ユニットから伝送された前記メッセージを受け取ることを特徴とする請求項５に記載のカレンダの情報表示方法。
【発明の詳細な説明】
【技術分野】
【０００１】
本発明は、カレンダの情報表示方法に関する。
【背景技術】
【０００２】
ネットワーク技術の迅速な発展とマイクロコンピュータ技術の進歩に伴い、現在の各種末端装置（例えば、パソコン、スマートホン、携帯情報端末など）は、すでに現代人の生活で欠かすことのできない重要な補助道具の１つとなっており、インターネットにつながる機能だけでなく、各種応用ソフトウェア（例えば、カレンダソフトウェア、ナビゲーションソフトウェア、オフィス用フトウェアなど）をインストールすることができ、人々は末端装置によっていつでもインターネットで情報をサーチでき、自身のニーズに基づき、カレンダ、電卓、インターネット地図等の複数の機能を使用でき、ユーザはより便利に日常生活中の各種作業を処理することができる。
【０００３】
最も普通の「カレンダ」の機能を例にすると、現在、市場の各種末端装置に実装されているカレンダソフトウェアは、大部分が日替わり又は月間方式を採用し、日付を表示しており、ユーザは、所定の日付上で計画したスケジュール又はすべき事項を入力し、いつでも、ユーザが気づけるようにする目的を達成する。
【先行技術文献】
【特許文献】
【０００４】
【特許文献１】特開２００３−１８６８５３号公報
【発明の概要】
【発明が解決しようとする課題】
【０００５】
しかしながら、インターネット時代の到来により、前述した従来のカレンダソフトウェア技術では、その単純なリマインダ機能は、すでにユーザのニーズを満たせなくなっている。例えば、ユーザはカレンダ上に「旅行スケジュール」及び「スポーツイベント」等の事項を記録しているが、時間が日付に近づくと、ユーザはより多くの関連情報を得たいと思うようになる。このため、自らブラウザーソフトウェアによって、例えば、旅行場所の天気状態又はスポーツイベントのチケット販売期限等に関する情報をインターネットでサーチする必要がある。つまり、従来のカレンダのように単純に「記録」及び「リマインダ」機能のみを有するだけでは、すでに完全にユーザのニーズを満足させることが出来ず、ユーザはカレンダのもうすぐくるスケジュールに基づき、別途自らインターネットで上述のスケジュールの関連情報をサーチし、これらのスケジュールに符合する豊富な資料を取得する必要がある。したがって、仕事が忙しい現代人にとって言えば、間違いなく雑多で冗長な作業となる。
【０００６】
従来のカレンダは、以前の運用方式を維持しており、ユーザにスケジュールを記録させることと、スケジュール日付が来たときにユーザに気づかせることのみを提供しており、インターネットが有するその他より緊密で豊富な相互機能がない。本発明者は、研究後に、現在のインターネットの関連応用が日々多くなっている状況下で、もし従来のカレンダソフトウェアの運用フローに改良を行い、ユーザが設定する事項やスケジュールに基づき、ニュース又は討論情報を自動でサーチするようにし、従来のカレンダ機能が単純しすぎるという問題を解決するだけでなく、大幅に末端装置を使用する上でのパーソナライズ性と利便性を大幅に高めることができると考えた。そこで、本発明者は上記の欠点が改善可能と考え、鋭意検討を重ねた結果、合理的かつ効果的に課題を改善する本発明の提案に到った。
【０００７】
本発明は、上述の問題に鑑みてなされたものである。本発明は、カレンダの情報表示方法を提供することを目的とする。
【課題を解決するための手段】
【０００８】
上述した課題を解決し、目的を達成するために、本発明に係るカレンダの情報表示方法は、端末装置とサーバを含むネットワークシステムに応用される。カレンダの情報表示方法は、端末装置が、カレンダソフトウェアによりサーバ上のユーザアカウントにログインすることでカレンダインターフェースを表示するステップを含む。また、端末装置が、入力ユニット（例えば、キーボード、タッチパネル）によりカレンダソフトウェアに書き込まれたメッセージを受信するステップを含む。端末装置がメッセージをサーバに伝送するステップを含む。サーバが、メッセージに基づいて、少なくとも１つの検索条件（つまり、イベントパラメータ中のキーワード）を選び出し、検索条件に基づいて、インターネットから所定期間（例えば、１年又は３ヶ月以内）内で検索条件に合うウェブページの情報をサーチするステップを含む。サーバが、それぞれのウェブページの情報に基づいて、ニュースリンク情報を発生し、それぞれのウェブページの情報の内容に基づき、複数個の情報類別を規定し、それぞれのニュースリンク情報を少なくとも１つの情報類別に対応させるステップを含む。サーバが、ニュースリンク情報を端末装置に伝送するステップを含む。端末装置が、カレンダソフトウェアにより、情報類別に基づいて、ニュースリンク情報を表示するステップを含む。メッセージは、少なくともイベントパラメータ（event parameter）（例えば、イベント内容、発生場所、関係者等）と日付パラメータ（例えば、イベント発生日）を含む。
【０００９】
本発明によれば、ユーザは、入力ユニットによって個人予定の設定されたメッセージをカレンダに書き込んだ後、端末装置は、カレンダソフトウェア及びサーバによって、自動でインターネット上でウェブページの情報をサーチし、選択整理した後、カレンダ中に書き込む。又は、カレンダ上のプラグインに書き込み、パーソナライズされたカレンダを形成し、ユーザが便利且つ迅速に関連情報を得ることが出来るという効果が得られる。
【図面の簡単な説明】
【００１０】
【図１】本発明の一実施形態に係るネットワークシステムの模式図である。
【図２】本発明の一実施形態に係るカレンダインターフェースの模式図である。
【図３】本発明の一実施形態に係る入力インタフェースの模式図である。
【図４】本発明の一実施形態に係るカレンダインターフェースの模式図である。
【図５】本発明の一実施形態に係るカレンダの情報表示方法のフローチャートである。
【図６】本発明の一実施形態に係るカレンダの情報表示方法のフローチャートである。
【図７】本発明の一実施形態に係るカレンダインターフェースの模式図である。
【発明を実施するための形態】
【００１１】
以下に図面を参照して本発明の実施形態について、詳細に説明する。なお、本発明は、以下の実施形態に限定されるものではない。
【００１２】
（一実施形態）
本発明の一実施形態に係るカレンダの情報表示方法は、図１及び図２に示すように、ネットワークシステム１上に応用される。ネットワークシステム１は、サーバ１１と末端装置１２（例えば、スマートホン、ノートパソコンなど）を含む。末端装置１２は、インターネット１０によって、サーバ１１に接続し、中にカレンダソフトウェア１２０がインストールされている。ユーザが末端装置１２を操作し、カレンダソフトウェア１２０を起動すると、末端装置１２はカレンダインターフェース２０を表示する。
【００１３】
なお、カレンダインターフェース２０上には複数のユーザが入力したメッセージが表示される。メッセージは、ユーザの現在のスケジュール又はすべき事項である。末端装置１２は、カレンダインターフェース２０を表示した後、カレンダソフトウェア１２０によって、ログインステップ（例えば、ログインインターフェースを発生させ、ユーザにユーザアカウント及びパスワードを入力させる）を行い、サーバ１１のユーザアカウントにログインする。
【００１４】
図１及び図３によれば、ユーザが新しく設定されたメッセージを増やしたい場合、末端装置１２がカレンダソフトウェア１２０によって、入力インターフェース３０を発生する。入力インターフェース３０上には複数の入力欄３１がある。ユーザが入力ユニット１２１（例えば、キーボード又はタッチパネル）によって、設定されたメッセージは、カレンダソフトウェア１２０中に書き込まれ、インターネット１０によって、サーバ１１に伝送される。例えば、メッセージは、イベントパラメータ、日付パラメータ、関係者パラメータおよび場所パラメータを含む。図３で示されるメッセージ「日本旅行」を例にすると、イベントパラメータは「個人旅行」であり、日付パラメータは「９月１６〜９月２１」であり、場所パラメータは「東京」であり、関係者パラメータは「大学の同級生」である。
【００１５】
図１乃至図３に示すように、該末端装置１２は、インターネット１０によって、これらのメッセージ２１をサーバ１１に伝送した後、サーバ１１は、それぞれのメッセージ２１中から、少なくとも１つの検索条件を選び出す。検索条件は、前述のイベントパラメータ、場所パラメータ又は関係者パラメータでよく、又は、サーバ１１がスキャンできるそれぞれのパラメータ中のキーワードを検索条件としてもよい。サーバ１１は、検索条件に基づき、インターネット上で、所定時間内（例えば、最近半年以内）で情報をサーチすると共にそれぞれニュースリンク情報（例えば、ウェブアドレス）を発生する。例えば、図４に示すように、メッセージが「日本旅行」である場合、サーバ１１がサーチするウェブページの情報は、日本の天気情報又は気象庁のウェブページである。
【００１６】
また、図１及び図４によれば、サーバ１１は、ウェブページの情報の内容に基づき、複数の種類の情報類別を規定し、ニュースリンク情報が少なくとも１つの情報類別に対応するようにし（例えば、財経類、気象類、スポーツ類、飲食等）、最後に、ニュースリンク情報を末端装置１２に送る。
【００１７】
同様に、末端装置１２は、ニュースリンク情報を受け取った後、情報類別に基づき、ニュースリンク情報を結合させて情報インターフェース４０に表示し、情報インターフェース４０を末端装置１２上のカレンダインターフェース２０に対応する位置に表示し、ユーザがいつでも便利に前のスケジュールと関係を有するニュース情報を知ることが出来るようにし、大幅にカレンダソフトウェア１２０の利便性を高めることができる。例えば、図４に示すように、カレンダインターフェース２０上には合計３件のメッセージが含まれ、それぞれ「財務報告」、「台北マラソン」及び「日本旅行」である。サーバ１１は、合計５件のニュースリンク情報を送信し、第１、２件は東京旅行と関係のあるものであり、情報類別は「気象類」であり、第３件は財務報告と関係のあるものであり、その情報類別は「財経類」であり、第４、５件は台北マラソンと関係のあるものであり、その情報類別は「スポーツ類」である。
【００１８】
このように、図１に示すように、本実施形態の方法によれば、ユーザが末端装置１２内のカレンダソフトウェア１２０を起動した後、インターネット１０とサーバ１１によって、自動的にユーザが入力したメッセージに対応するニュースリンク情報を取得し、カレンダインターフェース２０に表示される。ユーザは、いつでも閲覧することができ、ユーザが将来のそれぞれのスケジュールに対して逐一インターネットで関連情報をサーチする必要がなく、大幅にユーザの時間を節約することができる。よって、末端装置１２の利便性、即時性、及び容易性を高めることができる。
【００１９】
以下、本発明の実施形態及びその詳細な流れについて、図５に基づいて説明する。末端装置１２の実行するステップは以下の通りである（図１と図２の参照）。
【００２０】
ステップ５０１は、末端装置１２がまずカレンダソフトウェア１２０を起動し、ログインステップを実行し、サーバ１１上のユーザアカウントにログインし、カレンダインターフェース２０を表示するステップである。
【００２１】
ステップ５０２は、末端装置１２がカレンダソフトウェア１２０によって、入力インターフェース３０を起動し、ユーザが入力ユニットによって入力インターフェース３０内のそれぞれの入力欄３１中に入力したメッセージ２１を受け取るステップである。設定されたメッセージ２１内には、少なくともイベントパラメータ及び日付パラメータが含まれている。
【００２２】
ステップ５０３は、末端装置１２が設定されたメッセージ２１を受け取った後、インターネット１０によって、メッセージ２１をサーバ１１へ伝送するステップである。
【００２３】
ステップ５０４は、サーバ１１が設定されたメッセージ２１に基づき、関連するウェブページの情報をサーチした後、末端装置１２がサーバ１１から送信するニュースリンク情報を受け取るステップである。
【００２４】
ステップ５０５は、末端装置１２が情報類別に基づき、ニュースリンク情報を対応するカレンダインターフェース２０の位置に表示し、同一な情報類別のニュースリンク情報を一緒にソートし、ユーザが閲覧しやすいようにするステップである。
【００２５】
図１及び図２に示すように、以下に図６を参照しながら該サーバ１１のステップを説明する。
【００２６】
ステップ６０１は、サーバ１１が、メッセージ２１を受け取った後、メッセージ２１中から少なくとも１つの検索条件を選び出すステップである。
【００２７】
ステップ６０２は、サーバ１１が、それぞれの検索条件を取得した後、インターネット１０から日付パラメータと近い所定期間内のウェブページの情報をサーチするステップである。
【００２８】
ステップ６０３は、サーバ１１が、それぞれのウェブページの情報に基づき、それぞれニュースリンク情報を発生し、且つ、それぞれのウェブページ情報の内容に基づき、複数の情報類別を規定し、対応するニュースリンク情報をそれぞれ少なくとも１つの情報類別に対応させるステップである。
【００２９】
ステップ６０４は、これらニュースリンク情報を発生した後、これらサーバ１１が、ニュースリンク情報を末端装置１２に送信するステップである。
【００３０】
図１〜図４に示すように、本実施形態では、末端装置１２は、ある操作時間（例えば、１０分）内に、これらニュースリンク情報の情報類別に基づき、それぞれの情報類別の読み取られた回数を記録する。操作時間終了後、末端装置１２は、それぞれの情報類別の読み取られた回数に基づき、情報インターフェースを新たにソートし、これらニュースリンク情報の配列順序を変更する（例えば、読み取られた回数が最も多い類別を最上位に配列する）。例えば、図４及び図７を参照し、ユーザがまず図４中の情報インターフェース４０内の第３、４及び５ニュースリンク情報をクリックする場合、これらニュースリンク情報はそれぞれ「財経類」と「スポーツ類」等の情報類別に対応し、財経類のクリックされた回数は１回であり、スポーツ類のクリックされた回数は２回であるため、５分（時間はユーザによって柔軟に設定できる）後、末端装置は財経類とスポーツ類のニュースリンク情報を上方に配列し、気象類のニュースリンク情報を下方に置く。ユーザの注目程度に対応し、図７に示すように、この時該情報インターフェース７０中の「財経類」と「気象類」のニュースリンク情報は、第１〜３項に配列され、これにより、ユーザは、直感的にクリックして見ることができる。
【００３１】
図１、図２に示すように、本実施形態では、メッセージ２１は時間セクションである期間パラメータを含み、末端装置１２は、これらニュースリンク情報を受け取った後、まず前の日付が期間パラメータ中にあるかどうかを判断し、期間パラメータ中にある場合、カレンダソフトウェア１２０によって、これらニュースリンク情報を表示し、期間パラメータ中にない場合、ユーザが現在関連情報を知る必要がないと判断し、関連情報を表示しない。例えば、前述の「日本旅行」の場合、ユーザはメッセージ「日本旅行」を入力するとき、同時に期間パラメータ「１ヶ月内」を設定することができる。これにより、「日本旅行」の日付パラメータは「９月１６〜９月２１」であり、前の時間が５月の場合、末端装置１２は「日本旅行」に関するニュースリンク情報を表示せず、前の時間が８月〜９月の場合、末端装置１２は期間パラメータによって、ユーザが関連するニュースを知るニーズがあると判断し、対応するニュースリンク情報を表示する。
【００３２】
さらに、図１、図２及び図４に示すように、本発明の他の実施形態では、ユーザはインターネット１０によって、１組のサブメッセージをサーバ１１中に保存する。サブメッセージは、ユーザアカウントに対応する。サブメッセージは、個人のすべき事項（例えば、歯医者への問診）又はRSS規格（Really Simple Syndication）に対応する電子ニュースである。サーバ１１がこれらニュースリンク情報をサーチし終わった後、末端装置は同時にこれらのサブメッセージを情報インターフェース４０中に表示し、表示し、ユーザがカレンダインターフェース２０内に入力されたメッセージ２１以外に、登録した電子ニュースも同時に閲読できるようにし、末端装置１２の機能がより全面的になり、使用上の柔軟性を高めることができる。
【００３３】
図１〜図４に示すように、前述した実施形態では、末端装置１２は、ニュースリンク情報を情報インターフェース４０として表示し、カレンダインターフェース２０と近い位置に表示するが、本発明の他の実施形態では、末端装置１２は、ニュースリンク情報をカレンダインターフェース２０中に書き込むことができる。例えば、末端装置１２はそれぞれのニュースリンク情報をそれぞれ対応するメッセージ２１の日付欄に書き込み、又は、末端装置１２は情報インターフェース４０をカレンダインターフェース２０中に書き込み、情報インターフェース４０とカレンダインターフェース２０が一体となるようにすることができる。
【００３４】
以上、本発明の実施形態について図面を参照して詳述したが、具体的な構成はこの実施形態に限られるものではなく、本発明の要旨を逸脱しない範囲の設計変更等も含まれる。
【符号の説明】
【００３５】
１  ネットワークシステム、
１０  インターネット、
１１  サーバ、
１２  端末装置、
１２０  カレンダソフトウェア、
１２１  入力ユニット、
２０  カレンダインターフェース、
２１  設定されたメッセージ、
３０  入力インターフェース、
３１  入力欄、
４０  情報インターフェース、
７０  情報インターフェース。
【図１】
2014032675.tif 000003
【図２】
2014032675.tif 000004
【図３】
2014032675.tif 000005
【図４】
2014032675.tif 000006
【図５】
2014032675.tif 000007
【図６】
2014032675.tif 000008
【図７】
2014032675.tif 000009